(57)【要約】　　　（修正有）【課題】印字結果が立体視覚効果を有する印章の提供。【解決手段】握持部２１を具え、握持部の一端面に印面２３が画定され、印面に印字２２が設けられ、印字結果が立体空間の視覚効果を形成することである。視覚上、三次元空間を現出する各セクション内にそれぞれ凹んだ溝で彫刻文字が形成され、彫刻文字により視覚効果上、印字結果に三次元空間の立体感を付与し、また凹溝で印字が組成されたことにより、印章の偽造を防止する効果が高い。【選択図】　　図２
0003098645.tif 000002
【実用新案登録請求の範囲】
【請求項１】
握持部を具え、該握持部の一端面に印面が画定され、該印面に印字が設けられた印字結果が立体視覚効果を有する印章において、
該印章の該印面が六角形に形成され、且つ六辺が時計回りに、それぞれＡ辺、Ｂ辺、Ｃ辺、Ｄ辺、Ｅ辺、Ｆ辺とされ、Ａ辺とＤ辺、Ｂ辺とＥ辺、Ｃ辺とＦ辺の二辺ずつが平行とされ、且つ各平行な二辺の間の適当な距離の位置に、１本の、二つの平行な辺と平行な仮想線が形成され、各仮想線が一端点において相互に連接され、且つ六辺による包囲と組み合わされて、三つのセクションが形成され、各セクション内に溝で組成された彫刻字形が設けられ、彫刻字形の印字結果に視覚効果上、三次元空間に分布する立体感が現出されることを特徴とする、印字結果が立体視覚効果を有する印章。
【請求項２】
請求項１記載の印字結果が立体視覚効果を有する印章において、印面が矩形面に対してその二つの対角エリアに低階溝部を形成することにより形成された六角形の突出面とされたことを特徴とする、印字結果が立体視覚効果を有する印章。
【請求項３】
請求項１記載の印字結果が立体視覚効果を有する印章において、握持部が印面まで延伸された六角形の柱体とされたことを特徴とする、印字結果が立体視覚効果を有する印章。
【考案の詳細な説明】
【０００１】
【考案の属する技術分野】
本考案は一種の印字結果が立体視覚効果を有する印章に係り、特に、捺印結果が実際は平面であるが、人に立体であるかのような視覚効果を与える印章に関する。
【０００２】
【従来の技術】
印章は古くより意思表示の工具として用いられ、文学、絵画の落款、更には権力の象徴（君主の玉璽の如し）とされてきた。印章本体は文化が内包された工芸であり、印章自身の材質、色彩と美観のほか、更に重要なことは、その印面の印字結果の書法、描かれる彫刻芸術であり、特に書法字形により形成される印字結果は使用者に品位と風格を提供する。
【０００３】
図１に示されるように、従来の印章１は、その印面１１の多くが凹部とされ、文字或いは図形部分（本例では文字とされている）が突出し、その外観形態は、いわゆる「陽刻」と称され、使用形態上は文字突出部分に朱肉或いはインキをつけて使用され、「朱文」と称される。印面の文字は外観と芸術的な風格を出すために、字形に変化が求められ、例えば楷書、草書、行書、隷書、篆書或いはその他の豊富な変化字形が適用される。
【０００４】
従来の印章は以下のような問題がある。
１．豊富な字形変化により芸術性と美観が求められ、字形は進歩し開発されつくし、却って更なる発展が難しい。
２．周知のいわゆる陽刻の印章は、コンピュータプログラムを運用することにより偽造される可能性が高い。
【０００５】
【考案が解決しようとする課題】
本考案は、印字結果が立体視覚効果を有する印章を提供することを目的とし、それは、更に豊富で工夫された変化を具備し、定番化した既存の印章の印字結果の造形を突破し、また、偽造の困難度が高められたものとする。
【０００６】
【課題を解決するための手段】
請求項１の考案は、握持部を具え、該握持部の一端面に印面が画定され、該印面に印字が設けられた印字結果が立体視覚効果を有する印章において、
該印章の該印面が六角形に形成され、且つ六辺が時計回りに、それぞれＡ辺、Ｂ辺、Ｃ辺、Ｄ辺、Ｅ辺、Ｆ辺とされ、Ａ辺とＤ辺、Ｂ辺とＥ辺、Ｃ辺とＦ辺の二辺ずつが平行とされ、且つ各平行な二辺の間の適当な距離の位置に、１本の、二つの平行な辺と平行な仮想線が形成され、各仮想線が一端点において相互に連接され、且つ六辺による包囲と組み合わされて、三つのセクションが形成され、各セクション内に溝で組成された彫刻字形が設けられ、彫刻字形の印字結果に視覚効果上、三次元空間に分布する立体感が現出されることを特徴とする、印字結果が立体視覚効果を有する印章としている。
請求項２の考案は、請求項１記載の印字結果が立体視覚効果を有する印章において、印面が矩形面に対してその二つの対角エリアに低階溝部を形成することにより形成された六角形の突出面とされたことを特徴とする、印字結果が立体視覚効果を有する印章としている。
請求項３の考案は、請求項１記載の印字結果が立体視覚効果を有する印章において、握持部が印面まで延伸された六角形の柱体とされたことを特徴とする、印字結果が立体視覚効果を有する印章としている。
【０００７】
【考案の実施の形態】
本考案の運用する技術手段は以下のとおりである。印章の設計は、握持部を具え、握持部の一端面に印面を画定し、該印面に印字を設け、該印面を六角形に形成し、且つ六辺を時計回りに、それぞれＡ、Ｂ、Ｃ、Ｄ、Ｅ、Ｆ辺とし、Ａ辺とＤ辺、Ｂ辺とＥ辺、Ｃ辺とＦ辺が平行とされ、且つ各平行な二辺の間の適当な距離の位置に、１本の、二つの平行な辺と平行な仮想線が形成され、各仮想線が延伸されて一端点において相互に連接され、且つ六辺の包囲と組み合わされて、三つのセクションが形成され、各セクション内に溝で組成された彫刻字形が設けられる。
【０００８】
本考案は従来の技術と較べ、字形に視覚効果上、三次元空間の立体感を付与し、芸術的な美観を増し、且つ凹んだ溝で組成された彫刻字形により偽造防止の機能を高めている。
【０００９】
【実施例】
本考案の具体的実施例を図を参照しながら説明する。図２を参照されたい。本考案は印字結果が立体視覚効果を有する印章２であり、それは握持部２１を具え、該握持部２１に記号点２１１が印字方向の識別用に設けられている。該握持部２１の一端面に印面２３があり、該印面２３に印字２２が設けられ、該印字２２は図形或いは文字を具えている。本考案は文字の実施例である。
該印面２３の状態は図３に示されるとおりである。さらに図４も参照されたい。二つの対角エリア（図４の実施例では左上角と右下角）に低階溝部２３１が設けられ（角部は面取りされて円弧縁とされ、怪我を防止している。）、これにより印面２３に六角形の凸面が形成され、且つ六辺が時計回りに、それぞれＡ辺（２３２）、Ｂ辺（２３３）、Ｃ辺（２３４）、Ｄ辺（２３５）、Ｅ辺（２３６）、Ｆ辺（２３７）とされ、Ａ辺（２３２）とＤ辺（２３５）、Ｂ辺（２３３）とＥ辺（２３６）、Ｃ辺（２３４）とＦ辺（２３７）の二辺ずつが平行とされ、且つ各平行な二辺の間の適当な距離の位置に、１本の、二つの平行な辺と平行な仮想線（２３８）、（２３９）、（２３０）が形成され、各仮想線（２３８）、（２３９）、（２３０）が一端点において相互に連接され、且つ六辺の包囲と組み合わされて、三つのセクション（２３Ｘ）、（２３Ｙ）、（２３Ｚ）が形成され、各セクション（２３Ｘ）、（２３Ｙ）、（２３Ｚ）内に溝で組成された（図１１を参照されたい）彫刻字形２２が設けられる。その外観形態はいわゆる陰刻とされる。文字周辺の突出部に朱肉がつけられ、印字結果は相対的に白となる。その印字結果は視覚効果上、三次元空間の立体感を具備する。印面の印字は図５に示されるようであり、それによる印字結果は三次元空間の立体感を具備する（図６参照）。
【００１０】
Ａ．実施例：
印面２３Ａの状態は図７に示されるようであり、さらに図８に示されるように、二つの対角エリア（図８の実施例では右上角と左下角）に低階溝部２３１Ａが設けられ（角部は面取りされて円弧縁とされ、怪我を防止している。）、これにより印面２３Ａに六角形の凸面が形成され、且つ六辺が時計回りに、それぞれＡ辺（２３２Ａ）、Ｂ辺（２３７Ａ）、Ｃ辺（２３６Ａ）、Ｄ辺（２３５Ａ）、Ｅ辺（２３４Ａ）、Ｆ辺（２３３Ａ）とされ、Ａ辺（２３２Ａ）とＤ辺（２３５Ａ）、Ｂ辺（２３７Ａ）とＥ辺（２３４Ａ）、Ｃ辺（２３６Ａ）とＦ辺（２３３Ａ）の二辺ずつが平行とされ、且つ各平行な二辺の間の適当な距離の位置に、１本の、二つの平行な辺と平行な仮想線（２３０Ａ）、（２３９Ａ）、（２３８Ａ）が形成され、各仮想線（２３０Ａ）、（２３９Ａ）、（２３８Ａ）が一端点において相互に連接され、且つ六辺の包囲と組み合わされて、三つのセクション（２３ＡＸ）、（２３ＡＹ）、（２３ＡＺ）が形成され、各セクション（２３ＡＸ）、（２３ＡＹ）、（２３ＡＺ）内に溝で組成された（図１１を参照されたい）彫刻字形２２が設けられる。その外観形態はいわゆる陰刻とされる。文字周辺の突出部に朱肉がつけられ、印字結果は相対的に白となる。その印字結果は視覚効果上、三次元空間の立体感を具備する。印面の印字は図９に示されるようであり、それによる印字結果は三次元空間の立体感を具備する（図１０参照）。
本考案は従来の技術に較べ、印字結果に視覚効果上、三次元空間の立体感が形成され、芸術的美観が増され、且つ凹溝で組成された彫刻字形により偽造防止の機能が高められている。
【００１１】
Ｂ実施例：
図１２に示されるように、本考案の印章２Ａは握持部が印面まで延伸された六角形の柱体とされ得て、同様の字形分布が組み合わされ、印字結果に立体視覚効果を付与することができる。
【００１２】
以上の実施例は本考案の実施範囲を限定するものではなく、本考案に基づきなしうる細部の修飾或いは改変は、いずれも本考案の請求範囲に属する。
【００１３】
【考案の効果】
本考案の印字結果が立体視覚効果を有する印章は、握持部を具え、該握持部の一端面に印面が画定され、該印面に印字が設けられ、印字結果が立体空間の視覚効果を形成することである。視覚上、三次元空間を現出する各セクション内にそれぞれ凹んだ溝で彫刻文字が形成され、彫刻文字により視覚効果上、印字結果に三次元空間の立体感を付与し、また凹溝で印字が組成されたことにより、印章の偽造を防止する効果が高い。
【図面の簡単な説明】
【図１】周知の印章の斜視図である。
【図２】本考案の印章の斜視図である。
【図３】本考案の印章の印面形成前の平面図である。
【図４】本考案の印章の印面の低階溝部の平面図である。
【図５】本考案の印章の印面の平面図である。
【図６】本考案の印字結果表示図である。
【図７】本考案のＡ実施例の印面形成前の平面図である。
【図８】本考案のＡ実施例の印章の印面の低階溝部の平面図である。
【図９】本考案のＡ実施例の印章の印面の平面図である。
【図１０】本考案のＡ実施例の印字結果表示図である。
【図１１】本考案の断面図である。
【図１２】本考案のＢ実施例の斜視図である。
【符号の説明】
１　印章
１１　印面
２　印章
２Ａ　印章
２１　握持部
２１１　記号点
２２　印字
２３　印面
２３Ａ　印面
２３０　仮想線
２３０Ａ　仮想線
２３１　低階溝部
２３１Ａ　低階溝部
２３２　Ａ辺
２３２Ａ　Ａ辺
２３３　Ｂ辺
２３３Ａ　Ｆ辺
２３４　Ｃ辺
２３４Ａ　Ｅ辺
２３５　Ｄ辺
２３５Ａ　Ｄ辺
２３６　Ｅ辺
２３６Ａ　Ｃ辺
２３７　Ｆ辺
２３７Ａ　Ｂ辺
２３８　仮想線
２３８Ａ　仮想線
２３９　仮想線
２３９Ａ　仮想線
２３Ｘ、２３Ｙ、２３Ｚ　セクション
２３ＸＡ、２３ＹＡ、２３ＺＡ　セクション
【図１】
0003098645.tif 000003
【図２】
0003098645.tif 000004
【図３】
0003098645.tif 000005
【図４】
0003098645.tif 000006
【図５】
0003098645.tif 000007
【図６】
0003098645.tif 000008
【図７】
0003098645.tif 000009
【図８】
0003098645.tif 000010
【図９】
0003098645.tif 000011
【図１０】
0003098645.tif 000012
【図１１】
0003098645.tif 000013
【図１２】
0003098645.tif 000014